(57)【要約】【課題】  ハーフトーン背景の中の画像の周辺に発生する白抜けを、画像データを補正することにより低減し、高画質な画像再生を行う画像形成装置及び画像形成方法を提供する。【解決手段】  画像入力手段１により入力された入力画像の画像データを処理することにより形成される出力画像の、高濃度部と低濃度部との切り替わり部における低濃度部側の画像を、画像方向に応じて高濃度に補正するために、前記低濃度部側の画像に対応する画像データを補正する平滑化フィルタを用いた補正手段４を設ける。【選択図】  図１
2005297252.tif 000002
【特許請求の範囲】
【請求項１】
画像入力手段により入力された入力画像の画像データを処理することにより形成される画像の高濃度部と低濃度部との切り替わり部における低濃度部側の画像を、画像方向に応じて高濃度に補正するために、前記低濃度部側の画像に対応する画像データを補正する補正手段を設けたことを特徴とする画像形成装置。
【請求項２】
前記補正手段により補正された画像データと前記補正手段により補正される前の画像データとを比較し、画像データの値の大きいほうの値（デジタル値）を、画像データとして選択して補正を行うことを特徴とする請求項１記載の画像形成装置。
【請求項３】
前記補正手段は、画像データに対して平滑化フィルタ処理を施す２次元フィルタを用いて補正を行うことを特徴とする請求項２記載の画像形成装置。
【請求項４】
前記２次元フィルタは、前記画像入力手段により入力される画像の読み込み先端側の画像データに対する平滑性が大きいことを特徴とする請求項３記載の画像形成装置。
【請求項５】
前記２次元フィルタは、画像形成装置が有する水平同期検知手段の水平同期検知側の平滑性が大きいことを特徴とする請求項３記載の画像形成装置。
【請求項６】
前記２次元フィルタは、前記補正手段による補正が画像形成装置内の湿度情報に応じて行われるように、該２次元フィルタが有する平滑係数が自動的に選択されるように構成したことを特徴とする請求項３から５のいずれか１項に記載の画像形成装置。
【請求項７】
画像入力手段工程により入力された入力画像の画像データを処理することにより形成される画像の高濃度部と低濃度部との切り替わり部における低濃度部側の画像を、画像方向に応じて高濃度に補正するために、前記低濃度部側の画像に対応する画像データを補正する補正工程を設けたことを特徴とする画像形成方法。
【請求項８】
前記補正工程により補正された画像データと前記補正工程により補正される前の画像データとを比較し、画像データの値の大きいほうの値（デジタル値）を、画像データとして選択して補正を行うことを特徴とする請求項７記載の画像形成方法。
【請求項９】
前記補正工程は、画像データに対して平滑化フィルタ処理を施す２次元フィルタを用いて補正を行うことを特徴とする請求項８記載の画像形成方法。
【請求項１０】
前記２次元フィルタは、前記画像入力工程により入力される画像の読み込み先端側の画像データに対する平滑性が大きいことを特徴とする請求項９記載の画像形成方法。
【請求項１１】
前記２次元フィルタは、画像形成装置が有する水平同期検知手段の水平同期検知側の平滑性が大きいことを特徴とする請求項９記載の画像形成方法。
【請求項１２】
前記補正手段による補正が画像形成装置内の湿度情報に応じて行われるように、前記２次元フィルタが有する平滑係数が自動的に選択されるようにしたことを特徴とする請求項９から１１のいずれか１項に記載の画像形成方法。
【発明の詳細な説明】
【技術分野】
【０００１】
本発明は、電子写真プロセスを用いたプリンターやデジタル複写機、ファクシミリ装置等の画像形成装置及び画像形成方法に関する。
【背景技術】
【０００２】
画像形成装置における現像装置の代表例に、磁気ブラシ現像法がある。この磁気ブラシ現像法は、現像スリーブ上に現像剤の磁気ブラシを形成し、この磁気ブラシを感光体表面に接触させることにより、静電潜像にトナー粒子を付着させて現像を行う方式である。このような磁気ブラシ現像法には、現像スリーブを感光体の回転方向と同じ方向に回転させるウィズモード現像法と、現像スリーブを感光体の回転方向と逆方向に回転させるアゲインストモード現像法とがあるが、現像剤の搬送性、画質などからウィズモード現像法が優れている。
【０００３】
しかし、ウィズモード現像法は、ハーフトーン背景の中に画像があった場合、その画像の周辺に白抜けが生じやすいという問題がある。特許文献１、２ではこのような課題に対して解決方法が提案されているが、共に、画像の先端側及び後端側の補正に限られており、広範な、周辺の白抜けには必ずしも対応できるものではなかった。また、特許文献３では、画像の内部に関する白抜けを解決する技術が開示されているが、画像の周囲のハーフトーン部に対しての白抜け対策ではない。
【特許文献１】特開平１１−１９６２７７号公報
【特許文献２】特開２００１−２５５７０８号公報
【特許文献３】特開２００２−３１４８１３号公報
【発明の開示】
【発明が解決しようとする課題】
【０００４】
本発明は、上記のような問題点に鑑み、電子写真プロセス、特に、磁性二成分現像装置を有する画像形成装置のハーフトーン背景の中に画像があった場合、その画像の周辺に白抜けが発生する現象（周辺白抜け）を、補正を加えることにより低減し、高画質な画像再生を行う画像形成装置及び画像形成方法を提供することを目的とする。
【課題を解決するための手段】
【０００５】
請求項１記載の発明は、画像入力手段により入力された入力画像の画像データを処理することにより形成される画像の高濃度部と低濃度部との切り替わり部における低濃度部側の画像を、画像方向に応じて高濃度に補正するために、前記低濃度部側の画像に対応する画像データを補正する補正手段を設けた画像形成装置としたことを特徴とする。
【０００６】
請求項２記載の発明は、前記補正手段により補正された画像データと前記補正手段により補正される前の画像データとを比較し、画像データの値の大きいほうの値（デジタル値）を、画像データとして選択して補正を行う請求項１記載の画像形成装置としたことを特徴とする。
【０００７】
請求項３記載の発明は、前記補正手段は、画像データに対して平滑化フィルタ処理を施す２次元フィルタを用いて補正を行う請求項２記載の画像形成装置としたことを特徴とする。
【０００８】
請求項４記載の発明は、前記２次元フィルタは、前記画像入力手段により入力される画像の読み込み先端側の画像データに対する平滑性が大きい請求項３記載の画像形成装置としたことを特徴とする。
【０００９】
請求項５記載の発明は、前記２次元フィルタは、画像形成装置が有する水平同期検知手段の水平同期検知側の平滑性が大きい請求項３記載の画像形成装置としたことを特徴とする。
【００１０】
請求項６記載の発明は、前記２次元フィルタは、前記補正手段による補正が画像形成装置内の湿度情報に応じて行われるように、該２次元フィルタが有する平滑係数が自動的に選択されるように構成した請求項３から５のいずれか１項に記載の画像形成装置としたことを特徴とする。
【００１１】
請求項７記載の発明は、画像入力手段工程により入力された入力画像の画像データを処理することにより形成される画像の高濃度部と低濃度部との切り替わり部における低濃度部側の画像を、画像方向に応じて高濃度に補正するために、前記低濃度部側の画像に対応する画像データを補正する補正工程を設けた画像形成方法としたことを特徴とする。
【００１２】
請求項８記載の発明は、前記補正工程により補正された画像データと前記補正工程により補正される前の画像データとを比較し、画像データの値の大きいほうの値（デジタル値）を、画像データとして選択して補正を行う請求項７記載の画像形成方法としたことを特徴とする。
【００１３】
請求項９記載の発明は、前記補正工程は、画像データに対して平滑化フィルタ処理を施す２次元フィルタを用いて補正を行う請求項８記載の画像形成方法としたことを特徴とする。
【００１４】
請求項１０記載の発明は、前記２次元フィルタは、前記画像入力工程により入力される画像の読み込み先端側の画像データに対する平滑性が大きい請求項９記載の画像形成方法としたことを特徴とする。
【００１５】
請求項１１記載の発明は、前記２次元フィルタは、画像形成装置が有する水平同期検知手段の水平同期検知側の平滑性が大きい請求項９記載の画像形成方法としたことを特徴とする。
【００１６】
請求項１２記載の発明は、前記補正手段による補正が画像形成装置内の湿度情報に応じて行われるように、前記２次元フィルタが有する平滑係数が自動的に選択されるようにした請求項９から１１のいずれか１項に記載の画像形成方法としたことを特徴とする。
【発明の効果】
【００１７】
本発明によれば、電子写真プロセス、特に、磁性二成分現像装置を有する画像形成装置のハーフトーン背景の中に画像があった場合、その画像の周辺に白抜けが発生する現象（周辺白抜け）を、補正を加えることにより低減し、高画質な画像再生を行うことができる。
【発明を実施するための最良の形態】
【００１８】
本発明に係る一の実施形態は、画像入力手段により入力された入力画像の画像データを処理することにより形成される画像の高濃度部と低濃度部との切り替わり部における低濃度部側の画像を、画像方向に応じて高濃度に補正するために、前記低濃度部側の画像に対応する画像データを補正する補正手段を設ける。
【実施例】
【００１９】
まず、本発明が適用される画像形成装置の一例として一般的なデジタル複写機を採りあげ、そのデジタル複写機における、プリンタエンジン部の画像形成動作について図２に基いて以下に説明する。図２は、本発明が適用されるデジタル複写機における、プリンタエンジン部の感光体周りを示す図である。
図１１に示すように、プリンタエンジン部は、帯電ローラ７、現像装置９、レジストローラ対１０、転写ローラ１１、定着装置１２、クリーニング装置１３、除電装置１４、センサ１５、感光体６６等を備えている。
【００２０】
感光体６６に当接された帯電ローラ７により感光体表面は均一に帯電され、レーザー光８によって感光体６６上に潜像が形成される。レーザー光８は、図２の紙面上手前側から紙面向こう側に向かって走査される。レーザー光８の走査開始側には、図示していないが、水平同期センサが取り付けられており、レーザー光８の走査の開始タイミングを検知している。更に、現像装置９によって潜像部にトナーが現像され、転写ローラ１１へ感光体６６は回転する。転写ローラ１１では、レジストローラ対１０によって搬送された用紙表面にトナー像が転写され、更に、定着装置１２によって熱と圧力が加えられてトナー像は定着される。転写ローラ１１で転写しきれなかった転写残トナーはクリーニング装置１３で回収され、回収後の感光体６６表面は除電装置１４により除電される。なお、感光体６６の近くに温湿度検知のためのセンサ１５が配置される。
【００２１】
このような電子写真プロセスを用いたプリンタエンジンでは、特にキャリアとトナーを混合した磁性二成分現像方式の現像装置の場合、画像濃度の再現性について特有の問題がある。すなわち、上記特許文献１、２に開示されているように、中濃度のベタ画像のような広域面積画像の中に、これより高濃度の画像がある場合に、これらを出力すると、上記高濃度の画像の周りに白く抜けた部分（いわゆる白抜け）が発生する。この白抜け解決方法のひとつとして、現像ユニットをできるだけ、高精度に加工、組み立てし、感光体と現像ユニットの間をできるだけ狭めることがあるが、この方法では、加工精度を高くする必要があり、コストアップの要因となる。
【００２２】
次に、上述の白抜けと画像及び画像データとの関係について、図３、図４（ａ）、図５（ａ）に基いて以下に説明する。図３は、画像周辺の白抜けを説明するための図である。図４（ａ）は、従来の画像周辺の白抜けと画像の明度との関係を示した図である。図５（ａ）は、従来の画像データを示した図である。
【００２３】
例えば、図３に示すように、形成する画像として、用紙１２０上に、ハーフトーン背景部１２１と、更にその中に四角いパッチ画像１２２を形成することを意図した場合で白抜けを説明する。ハーフトーン背景部１２１はハーフトーンであり、パッチ画像１２２はそれよりも濃い濃度レベルの画像である。
【００２４】
図３に示したような画像を出力するには、２次元的なデジタルデータから構成される画像データを与えて、上述したプリンタエンジン部（図２参照。）において出力をする。例えば、図３に示すＡＡ’断面における画像データは、図５（ａ）に示すようなデジタルデータからなる。図５（ａ）は、縦軸に画像データのデジタル値を、横軸に図３に示すＡＡ’断面の位置を示したものである。図５（ａ）において、凸部が図３に示すパッチ画像１２２に対応し、その他の部分が、図３に示すハーフトーン背景部１２１に対応する。
【００２５】
しかし、図３に示す画像を実際に用紙上に出力し明度を測定すると、図４（ａ）のような結果となる。図４（ａ）は、縦軸に画像データの明度を、横軸に図３に示すＡＡ’断面の位置を示したものである。図４（ａ）が示すように、パッチ画像１２２の背景部であるハーフトーン背景部１２１に対しては、図５（ａ）に示したように一定値のデジタルデータを与えたにもかかわらず、その明度は、パッチ画像１２２に対応する部分に近くなればなるほど高く（用紙の地肌に近く）なってしまう。これを白抜けと呼び、この明度差（図４（ａ）に示すＰ、Ｑ）を白抜け量と呼ぶことにする。なお、ＢＢ’断面における画像データについてもＡＡ’断面と同様である。
【００２６】
次に、図４（ａ）に示すように、図３に示すパッチ画像１２２の両端部に対応する部分（Ａ側部分とＡ’側部分）では、白抜けの量が異なり、画像の上側（画像読み取り先端側、図３における上側）であるＡ側の白抜け量が多い。またＢＢ’断面においては、水平同期センサのある（レーザー走査の上流側にある）Ｂ側の白抜け量が多い。
【００２７】
そこで、本実施例においては、従来の画像形成装置に、以下に詳述する画像データの補正手段を設けて、該補正手段により画像データを補正することにより、この白抜けを低減させる。すなわち、画像データの高濃度部と低濃度部の切り替わり部に対して、低濃度側の画像データを高濃度になるように補正することによって白抜けを低減させる。また更には、上述したような白抜け量は、画像が出力される用紙の位置によって異なるので、その補正量もこれを考慮して異ならせることにより、白抜け補正を最適なものとする。
【００２８】
次に、本実施例の画像処理の内容を図１に基づいて説明する。図１は、本実施例における一般的なデジタル複写機の要部構成ブロック図である。図１に示すように、本実施例のデジタル複写機の要部構成は、従来の一般的なデジタル複写機の要部構成に加えて、濃度変換手段３の後に、画像データの補正を行うための補正手段４を付加したものである。
【００２９】
本実施例の画像処理は、まず図１に示すように、スキャナ等の画像入力手段１によって読み取られた画像信号が、フィルタ処理手段２により所望の空間周波数特性となるように変換される。一般的にスキャナで読み取られた画像信号は、鮮鋭性が低下し、ぼけた画像であるため、フィルタ処理手段２では、強調フィルタによって鮮鋭性を向上させるようなフィルタ係数が用いられる。フィルタ処理手段２からの画像信号は、濃度処理手段３によって濃度変換される。濃度変換手段３では、原稿と画像出力手段６による出力画像との間の諧調特性を所望の諧調特性となるように変換する。そして、濃度変換手段３による濃度変換（γ変換）後の画像データを、図１に示す補正手段４によって補正を加えた後に、中間調処理手段５による擬似中間調処理を行い、画像出力手段６により用紙などへの画像出力を行うものである。本実施例は、補正手段４により画像データを補正することにより、上記課題（画像周辺白抜け）を解決することを特徴とする。
【００３０】
次に、添付図面を用いて、本実施例の画像処理において、図１に示す補正手段４により補正処理された画像データと白抜け（出力画像の明度）との関係について説明する。図４（ｂ）は、本実施例の画像処理をした後の画像周辺の白抜けと画像の明度との関係を示した図である。図５（ｂ）は、本実施例の図１に示す補正手段４により補正した画像データを示した図である。図５（ｃ）は、本実施例の図１に示す補正手段４により補正した他の画像データを示した図である。図５（ｂ）は、補正を直線状にしたものであって、白抜けの大きい側の補正Ｄ１を大きくし、白抜けの小さい反対側の補正Ｄ２は少なくする。
【００３１】
そして、より最適な補正は、図５（ｃ）のような補正後の画像データであって、白抜けの大きい側の補正Ｄ３を大きくし、白抜けの小さい反対側の補正Ｄ４は少なくする。このように画像データを補正することができれば、図４（ｂ）に示すように、図４（ａ）と比べて適切に白抜け量を低減させる効果を得ることができる。なお、ＢＢ’断面の画像データについても同様にＢ側を大きく補正するようにすればよい。
【００３２】
次に、添付図面を用いて、上記補正手段４についてより具体的に説明する。図７は、図１に示す補正手段４を構成する補正回路の構成ブロック図である。図７に示すように、この補正回路は、図１に示すフィルタ処理手段２により処理された画像データのデジタル値と、データ変形回路６１０により変形した画像データのデジタル値とをデータ比較回路６３０により比較し、そのデジタル値の大きいほうを画像データとして出力するように構成されている。
【００３３】
また、図８は、図７に示す補正手段４が備えているデータ変形回路６１０の詳細を示す図である。データ変形回路６１０によるデータの変形にはフィルタ処理が採用されている。よって、データ変形回路６１０は、平滑化フィルタ６１１を備えており、この平滑化フィルタ６１１により画像を平滑化させる。平滑化フィルタ６１１はフィルタ回路であり、フィルタ処理するためのフィルタデータ６１３をいくつか持っていて、選択回路６１２により、その中の１つを選べるように構成されている。フィルタデータ６１３の選択は、エンジンボードのＣＰＵ６１４からの信号を基に行われる。
【００３４】
次に、図７、図８に示したＳｉｇ−ａ、Ｓｉｇ−ｂ、Ｓｉｇ−ｃの信号について説明する。図９（ａ）、（ｂ）、（ｃ）は、図７、図８に示したＳｉｇ−ａ、Ｓｉｇ−ｂ、Ｓｉｇ−ｃの信号波形についてそれぞれ示した図である。図３に示すような画像データの場合、入力信号Ｓｉｇ−ａは、図９（ａ）に示すように矩形波形になる。これに対して、データ変形回路６１０（平滑化フィルタ）を通ると信号は平滑化され、図９（ｂ）に示すような出力信号Ｓｉｇ−ｂのようになる。そして最後に、図８に示す比較器６３０で、その画像データのデジタル値の大きい側を選択すると、出力信号Ｓｉｇ−ｃの出力波形は、図９（ｃ）に示すような形状となる。
【００３５】
既に説明したように、画像読み取り先端側は画像読み取り後端側よりも白抜け量が多いので、図５（ｃ）Ｄ３のように強く補正する必要がある。これを実現するために、本実施例では、平滑性は画像先端側が大きくなるように平滑化フィルタを構成している。
また、既に説明したように、レーザー走査の水平同期センサ側は水平同期と反対側よりも白抜け量が多いので、やはり、強く補正する必要がある。これを実現するために、本実施例では平滑性は水平同期センサ側（走査開始側）が大きくなるように平滑化フィルタを構成している。
【００３６】
次に、図６（ａ）、（ｂ）は、本実施例を適用して、色々な画像の条件で画像処理を行った場合の補正手段４（図１参照。）による補正前後の白抜け量を比較をした結果を示した図である。図６（ａ）は、補正前の各データパターン１〜２５の白抜け量を示した図である。図６（ｂ）は、補正後の各データパターン１〜２５の白抜け量を示した図である。測定のばらつきなどもあるが、全体的には白抜け量が低減する効果が得られている。白抜け量は、いろいろな状況に合わせて変化するので、これに追従するように平滑補正の内容を異ならせるように構成することにより、適切な補正を実現することができる。
【００３７】
次に、図１２（ａ）、（ｂ）を用いて、白抜け量が、湿度（環境）や現像剤の劣化（その他疲労）等によりどのような影響を受けるかについて調べた結果を説明する。図１２（ａ）は、白抜け量と湿度との関係について示した図である。図１２（ｂ）は、白抜け量と現像剤劣化との関係について示した図である。図１２（ａ）に示すように、白抜けは、湿度の変化に伴って変化する。また、図２に示す現像装置９の劣化（現像剤の劣化）によっても変化することがわかった。従って、これらの情報を使って補正内容を（平滑化フィルタの構成を）適切に制御することにより、装置環境に応じた最適な補正をすることが可能となる。
【００３８】
ここで、本実施例では、図２に示すプリンタエンジン部の湿度を、プリンタエンジン部に設けたセンサ１５を利用して検知する。また、現像剤の劣化に関しては、感光体上に適切なパッチを作成し、それを測定するようにしても良いし、又は、一番簡便な方法としては、プリンタエンジン部では実際に画像を形成した枚数を不揮発メモリに保持しているので、この情報を利用してたくさん使えば現像剤が劣化していると考えて制御に利用しても良い。また、プリンタエンジンによっては図２に示す感光体６６の交換時期や、現像装置９の交換時期を通知するために、その利用頻度情報を不揮発メモリに保持しているので、これも利用することができる。
【００３９】
次に、図１４（ａ）、（ｂ）を用いて、図１０に示す選択回路６１０が有する平滑化フィルタ選択テーブルについて説明する。図１４（ａ）、（ｂ）は、本実施例における、平滑化フィルタ選択テーブルを示した図である。この平滑化フィルタ選択テーブルは、動作モードと平滑化フィルタの組み合わせのテーブルである。フィルタデータの平滑度の弱いものから＃１〜＃９とすると、図１４（ａ）は、文字モードにおける平滑化フィルタ選択テーブルの選択表を示し、図１４（ｂ）は、写真モードにおける平滑化フィルタ選択テーブルの選択表を示す。
【００４０】
ここで、白抜けは、背景のハーフトーンの均一性を損なうという不具合があるが、一方、明度差がより顕著になるため、図３に示すパッチ画像１２２等のハーフトーンの前面にある画像を、見る人に対してインパクトを与えるという効果ももっている。従って、文字モードのような前面にある画像をインパクトをもって受け止められたほうが良い場合もある。よって、文字モードと写真モードでは、補正の程度に違いを設けたほうがよい。文字モードでは、補正がやや不足気味でも大丈夫であるが、写真モードでは適正に補正したほうが良いと考えられる。そのため、文字モードと写真モードでは、選択肢が異なるようになっている。また、ユーザーの嗜好による部分もあるので、ユーザー設定によって補正の強い、弱いが選択できるようにしている。
【００４１】
また、図１３は、本実施例における、他の平滑化フィルタ選択テーブルを示した図である。なお、図１３、図１４に示した平滑化フィルタ選択テーブルは実際にはもう少し大きなものが必要であるが、このような平滑フィルタ選択テーブルが使用される。
【００４２】
次に、図１０（ａ）、（ｂ）、図１１を用いて、本実施例における、平滑化フィルタ選択のフローについて説明する。図１０（ａ）、（ｂ）は、それぞれフィルタデータの例を示す図である。図１１は、平滑化フィルタ選択のためのフローチャートを示す図である。まず、例えば、湿度等の情報を入力する（Ｓ１）。この情報を元に、平滑性を強くする必要があるかないかを判断する（Ｓ１）。そして、平滑性を強くする必要があると判断されればＳ４へ進んで補正が強くなるような平滑化フィルタの選択をする（Ｓ４）。
【００４３】
また、Ｓ２において平滑性を強くする必要がないと判断された場合には（Ｓ２）、Ｓ３に進んで平滑を弱くする必要があるかないかを判断する（Ｓ３）。ここで、平滑性を弱くする必要があると判断されれば、Ｓ５へ進んで補正が弱くなるようにする（Ｓ５）。このような、判断フローにしたがって、図１０（ａ）、（ｂ）に示すような複数のフィルタデータ６１４の中から、必要なフィルタデータ６１４を選択し、切り替えることにより、湿度やユーザーの好みに合わせて補正を細かく切り替えることができ、適切な補正をすることができる。
【００４４】
また、図１０（ａ）、（ｂ）に示すようなフィルタデータ６１４を固定のデータではなくて、不揮発メモリなど自在に書き換えられるように構成しておけば、更に細かい補正をすることが可能となる。
【図面の簡単な説明】
【００４５】
【図１】本実施例における一般的なデジタル複写機の要部構成ブロック図である。
【図２】本発明が適用されるデジタル複写機における、プリンタエンジン部の感光体周りを示す図である。
【図３】画像周辺の白抜けを説明するための図である。
【図４】（ａ）は、従来の画像周辺の白抜けと画像の明度との関係を示した図である。（ｂ）は、本実施例の画像処理をした後の画像周辺の白抜けと画像の明度との関係を示した図である。
【図５】（ａ）は、従来の画像データを示した図である。（ｂ）は、本実施例の図１に示す補正手段により補正した画像データを示した図である。（ｃ）は、本実施例の図１に示す補正手段により補正した他の画像データを示した図である。
【図６】（ａ）は、本実施例における補正前の各データパターン１〜２５の白抜け量を示した図である。（ｂ）は、本実施例における補正後の各データパターン１〜２５の白抜け量を示した図である。
【図７】本実施例の図１に示す補正手段４を構成する補正回路の構成ブロック図である。
【図８】本実施例の図１に示す補正手段４が備えているデータ変形回路の構成ブロック図である。
【図９】（ａ）は、図７、図８に示したＳｉｇ−ａの信号波形を示した図である。（ｂ）は、図７、図８に示したＳｉｇ−ｂの信号波形を示した図である。（ｃ）は、図７、図８に示したＳｉｇ−ｃの信号波形を示した図である。
【図１０】（ａ）は、本実施例におけるフィルタデータを示す図である。（ｂ）は、本実施例における他のフィルタデータを示す図である。
【図１１】本実施例における平滑化フィルタ選択のためのフローチャートを示す図である。
【図１２】（ａ）は、白抜け量と湿度との関係について示した図である。（ｂ）は、白抜け量と現像剤劣化との関係について示した図である。
【図１３】本実施例における他の平滑化フィルタ選択テーブルを示した図である。
【図１４】（ａ）は、本実施例の文字モードにおける平滑化フィルタ選択テーブルを示した図である。（ｂ）は、本実施例の写真モードにおける平滑化フィルタ選択テーブルを示した図である。
【符号の説明】
【００４６】
１    画像入力手段
２    フィルタ処理手段
３    濃度変換手段
４    補正手段
５    中間処理手段
６    画像出力手段
７    帯電ローラ
８    レーザ光
９    現像装置
１０    レジストローラ対
１１    転写ローラ
１２    定着装置
１３    クリーニング装置
１４    除電装置
１５    センサ
６６    感光体
１２０    用紙
１２１    ハーフトーン背景部
１２２    四角いパッチ画像１２２
６１０    データ変形回路
６１１    平滑化フィルタ
６１２    選択回路
６１３    フィルタデータ
６１４    ＣＰＵ
６３０    データ比較回路
Ｐ    白抜け量
Ｑ    白抜け量
【図１】
2005297252.tif 000003
【図２】
2005297252.tif 000004
【図３】
2005297252.tif 000005
【図４】
2005297252.tif 000006
【図５】
2005297252.tif 000007
【図６】
2005297252.tif 000008
【図７】
2005297252.tif 000009
【図８】
2005297252.tif 000010
【図９】
2005297252.tif 000011
【図１０】
2005297252.tif 000012
【図１１】
2005297252.tif 000013
【図１２】
2005297252.tif 000014
【図１３】
2005297252.tif 000015
【図１４】
2005297252.tif 000016